(57)【要約】【課題】衣類やバック等の被装着体側にフック部及び保持部を介して物品を保持させることが可能な物品保持具において、被装着体側に保持された物品の交換作業を効率的に行うことが可能な、物品保持具を提供することを課題としている。【解決手段】本考案は、フック部２及び着脱部３を有する固定ホルダ４と、物品５を取付けて保持する保持部６及び着脱部７を有する着脱ホルダ８とを備え、固定ホルダ４のフック部２を被装着体９に係合させると共に、固定ホルダ４の着脱部３に着脱ホルダ８の着脱部７を着脱自在に取付けることにより、物品５を被装着体９側に保持する物品保持具とした。【選択図】図２
0003146608.tif 000002
【実用新案登録請求の範囲】
【請求項１】
フック部（２）及び着脱部（３）を有する固定ホルダ（４）と、物品（５）を取付けて保持する保持部（６）及び着脱部（７）を有する着脱ホルダ（８）とを備え、固定ホルダ（４）のフック部（２）を被装着体（９）に係合させると共に、固定ホルダ（４）の着脱部（３）に着脱ホルダ（８）の着脱部（７）を着脱自在に取付けることにより、物品（５）を被装着体（９）側に保持する物品保持具。
【請求項２】
前記各着脱部（３），（７）にそれぞれ永久磁石（１２），（１７）を設けることにより、固定ホルダ（４）の着脱部（３）に着脱ホルダ（８）の着脱部（７）を取付けるように構成した請求項１の物品保持具。
【請求項３】
固定ホルダ（４）の着脱部（３）及び着脱ホルダ（８）の着脱部（７）との一方には永久磁石（１２）を設け他方は磁性体で構成することにより、固定ホルダ（４）の着脱部（３）に着脱ホルダ（８）の着脱部（７）を取付けるように構成した請求項１の物品保持具。
【請求項４】
固定ホルダ（４）又は着脱ホルダ（８）の全体若しくは一部は、皮革，合成皮革，布又は合成樹脂からなるシートカバー乃至皮膜（２１）により被覆されている請求項２又は３の物品保持具。
【請求項５】
固定ホルダ（４）の着脱部（３）及び着脱ホルダ（８）の着脱部（７）にそれぞれベルベットファスナを設けることにより、固定ホルダ（４）及の着脱部（３）に着脱ホルダ（８）の着脱部（７）を取付けるように構成した請求項１の物品保持具。
【請求項６】
着脱ホルダ（８）の保持部（６）はフック状である請求項１乃至５の何れか一の物品保持具。
【請求項７】
固定ホルダ（４）はフック部（２）と着脱部（３）とからなる全体がクリップ構造である請求項１乃至５何れか一の物品保持具。
【請求項８】
着脱ホルダ（８）は保持部（６）と着脱部（７）とからなる全体がクリップ構造である請求項１乃至５何れか一の物品保持具。
【請求項９】
前記クリップ構造は磁力により挟み作用を有する請求項７又は８の物品保持具。
【考案の詳細な説明】
【技術分野】
【０００１】
この考案は、物品を被装着体側に保持可能な物品保持具に関する。
【背景技術】
【０００２】
衣類やバック等の被装着体に係合させるフック部と、タオル等の物品を取付けて保持する保持部を備え、フック部を被装着体に係合させることにより、物品を被装着体側に保持させることが可能な特許文献１に示す物品保持具が公知になっている。
【特許文献１】特開２００６−２３９７７９号公報
【考案の開示】
【考案が解決しようとする課題】
【０００３】
しかし、上記文献の物品保持具では、被装着体側に保持された物品を交換する際、フック部を被装着体に係合させたままでは物品を保持部に保持させる作業を行い難く、フック部を被装着体から取外して物品を保持部に保持させる場合には、その作業後にフック部を被装着体に確実に係合せしめる作業が必要になり、被装着体側に保持された物品の交換作業を効率的に行うとう観点から、課題が残る。
本考案は、上記課題を解決し、衣類やバック等の被装着体側にフック部及び保持部を介して物品を保持させることが可能な物品保持具において、被装着体側に保持された物品の交換作業を効率的に行うことが可能な、物品保持具を提供することを目的としている。
【課題を解決するための手段】
【０００４】
上記課題を解決するため、本考案に係る請求項１の物品保持具は、フック部２及び着脱部３を有する固定ホルダ４と、物品５を取付けて保持する保持部６及び着脱部７を有する着脱ホルダ８とを備え、固定ホルダ４のフック部２を被装着体９に係合させると共に、固定ホルダ４の着脱部３に着脱ホルダ８の着脱部７を着脱自在に取付けることにより、物品５を被装着体９側に保持することを特徴としている。
【０００５】
請求項２の物品保持具は、請求項１の物品保持具において、前記各着脱部３，７にそれぞれ永久磁石１２，１７を設けることにより、固定ホルダ４の着脱部３に着脱ホルダ８の着脱部７を取付けるように構成したことを特徴としている。
【０００６】
請求項３の物品保持具は、請求項１の物品保持具において、固定ホルダ４の着脱部３及び着脱ホルダ８の着脱部７との一方には永久磁石１２を設け他方は磁性体で構成することにより、固定ホルダ４の着脱部３に着脱ホルダ８の着脱部７を取付けるように構成したことを特徴としている。
【０００７】
請求項４の物品保持具は、請求項２又は３の物品保持具において、固定ホルダ４又は着脱ホルダ８の全体若しくは一部は、皮革，合成皮革，布又は合成樹脂からなるシートカバー乃至皮膜２１により被覆したことを特徴としている。
【０００８】
請求項５の物品保持具は、請求項１の物品保持具において、固定ホルダ４の着脱部３及び着脱ホルダ８の着脱部７にそれぞれベルベットファスナを設けることにより、固定ホルダ４及の着脱部３に着脱ホルダ８の着脱部７を取付けるように構成したことを特徴としている。
【０００９】
請求項６の物品保持具は、請求項１乃至５の何れか一の物品保持具において、着脱ホルダの保持部（６）がフック状であることを特徴としている。
【００１０】
請求項７の物品保持具は、請求項１乃至５の何れか一の物品保持具において、固定ホルダ（４）はフック部（２）と着脱部（３）とからなる全体がクリップ構造であることを特徴としている。
【００１１】
請求項８の物品保持具は、請求項１乃至５の何れか一の物品保持具において、着脱ホルダ（８）は保持部（６）と着脱部（８）とからなる全体がクリップ構造であることを特徴としている。
【００１２】
請求項９の物品保持具は、請求項７又は８の物品保持具において、前記クリップ構造が磁力により挟み作用を有することを特徴としている。
【考案の効果】
【００１３】
請求項１に記載の物品保持具によれば、被装着体に装着された固定ホルダに物品を保持する着脱ホルダが着脱自在に取付けられるため、被装着体９に保持された物品を交換する際には、固定ホルダから着脱ホルダを取外すことにより交換作業を効率的に行うことが可能になるという効果がある。
【００１４】
請求項２又は３に記載の物品保持具によれば、固定ホルダ４と着脱ホルダ８の各着脱部相互の着脱が磁力により行われるので、被装着体側に保持された物品の交換作業が一層効率的になる。
【００１５】
請求項４の物品保持具によれば、固定ホルダ４又は着脱ホルダ８の全体若しくは一部が、皮革，合成皮革，布又は合成樹脂からなるシートカバー乃至皮膜２１により被覆されているので、当該シートカバー等にロゴやマークを表示することができるほか、他部材との滑りを防止することができる。
【００１６】
請求項５の物品保持具によれば、固定ホルダ４の着脱部３及び着脱ホルダ８の着脱部７にそれぞれベルベットファスナを設けたので、被装着体側に保持された物品の交換作業がさらに一層効率的になる。
【００１７】
請求項６の物品保持具によれば、着脱ホルダ８の保持部６がフック状であることにより、物品の保持や取外しがより効率的になる。
【００１８】
請求項７の物品保持具によれば、固定ホルダ４の全体がクリップ構造であることにより、被装着体９へのクリップ部２の係合、ひいては物品の保持がより確実かつ円滑になる。
【００１９】
請求項８の物品保持具によれば、着脱ホルダ８の全体がクリップ構造であることにより、保持部６への物品５の保持が確実かつ円滑になる。
【００２０】
請求項９の物品保持具によれば、前記クリップ構造が磁力により挟み作用を有するので物品の保持がさらに確実になる。
【考案を実施するための最良の形態】
【００２１】
本考案の実施形態を図１乃至５に基づき説明する。
本考案に係る物品保持具１は、フック部２及び着脱部３を有する固定ホルダ４と、物品５を取付けて保持する保持部６及び着脱部７を有する着脱ホルダ８とからなる。この物品保持具１は、固定ホルダ４のフック部２を被装着体９に係合させるとともに固定ホルダ４の着脱部３に着脱ホルダ８の着脱部７を着脱自在に取付けることにより物品５を被装着体９に保持するように構成されている。
【００２２】
そして、物品５の被装着体９への保持時、固定ホルダ４から着脱ホルダ８を取外すことにより、着脱ホルダ８の保持部６に保持した物品５の交換作業を手元で容易に行うことが可能になる一方で、着脱ホルダ８の固定ホルダ４への取付けも一対の着脱部３，７を介して容易に行うことができる。なお、この被装着体９としては、フック部２を掛け止めることが可能なバック、ゴルフバック、衣類のポケット、腰ベルト等が想定され、物品５としては、パターカバー、タオル、手袋、キャップ、サンバイザ等が想定される。
【００２３】
先ず図１,図２に示す第１実施形態に係る物品保持具１について詳述する。
この物品保持具１の固定ホルダ４は、主に、弾性変更可能なクリップ状のフック部２を有する金属製又は樹脂製の板状の本体部１１と、該本体部１１におけるフック部２設置側面（裏面）と反対側の面（表面）に設けられる上記着脱部３とからなる。
【００２４】
上記フック部２は、開放側端部が本体部１１裏面から離間するように反り返り形成（湾曲形成）されているため、フック部２の開放端側から腰ベルト等の被装着体９をフック部２と本体部１１の裏面との間に挿入して固定ホルダ４を被装着体９に係合する作業を容易且つ簡易に行うことが可能になる。
【００２５】
上記着脱部３は、本体部１１の表面から一体的に突出形成される収容部１３ａ及び該収容部１３ａを閉塞する蓋１３ｂからなる金属製又は樹脂製のカバー１３と、カバー１３内に収容保持される永久磁石１２とから構成される。固定ホルダ４における着脱ホルダ８との対向側箇所（図示する例ではカバー１３）には、フラットな当接面１０が形成されている。
【００２６】
この物品保持具１の着脱ホルダ８は、主に、保持部６を有する板状の本体部１４と、本体部１４における保持部６設置側面（裏面）に取付固定される上記着脱部７とから構成されている。
【００２７】
上記着脱部７は、着脱ホルダ８の裏面から一体的に突設される収容部１８ａ及び該収容部１８ａを閉塞する蓋１８ｂからなるる金属製又は樹脂製のカバー１８と、カバー１８内に上記固定ホルダ４側の永久磁石１２と引合うような姿勢で収容固定された円盤状（板状）の永久磁石１７とを備えている。
【００２８】
上記保持部６は弾性変更可能なクリップ状のフック部である。該フック部６は、開放側端部が本体部１４裏面から離間するように反り返り形成（湾曲形成）されているため、フック部２の開放端側から物品５をフック部６と本体部１１裏面との間に挿入して着脱ホルダ８に物品５を引掛けて（係止させて）保持する作業を容易且つ簡易に行うことが可能になる。そして、カバー１８がフック部６側に突出して段部１９を形成しており、物品５のフック部６への保持時、該段部１９によって物品５が保持解除される（フック部６の開放端側から抜け出す）ことを防止している。さらに図示の例では、上方を開放した姿勢となるように着脱ホルダ８が固定ホルダ４に取付けられている。
【００２９】
また、着脱ホルダ８における固定ホルダ４との対向側箇所（図示する例では、本体部１４の表面）には、フラットな当接面２０を形成している。
【００３０】
上記構成の固定ホルダ４及び着脱ホルダ８は、対向する接当面１０，２０が面状に当接した状態で互いの永久磁石１２，１７によって引付け合い、固定ホルダ４に着脱ホルダ８が安定的に取付けられる。
【００３１】
なお、図示する例では着脱部３と着脱部７とが略同一形状であるが、一方を方形状にする等、互いの形状を異ならせて組み合わせることもできる。
【００３２】
また、図２に点線で示すように、接当面１０，２０には、係脱自在に凹凸嵌合する凹部２３と凸部２４を設けてもよい。この場合には凹部２３と凸部２４とを嵌合させると、磁石力に加えて平面方向の位置決め固定を確実にするので、着脱部７に重量のある物品５を支持することができる。くわえて、上記２つの永久磁石１２，１７を用いずに、凹部２３及び凸部２４のみによって固定ホルダ４に着脱ホルダ８を着脱自在に取付けてもよい。
【００３３】
上記一対の当接面１０，２０にそれぞれベルベットファスナ（図示しない）を設ける（固着する，接着固定する）ことにより一対の着脱部３，７を構成し、固定ホルダ４に着脱ホルダ８を着脱自在に取付けてもよい。
【００３４】
保持部６は物品５を挟持可能なクリップ状としてもよい。
【００３５】
固定ホルダ４のフック部２を本体部１１と別体成形するとともに、本体部１１に支持軸２５を介してフック部２を揺動自在（揺動可能）に支持してもよい。
【００３６】
図３に基づき、本考案の第２実施形態について、前述した実施形態とは異なる点を説明する。
図示するように、着脱ホルダ８の着脱部７を本体部１４の表面に設けてもよい。この場合には、カバー１８に当接面２０が形成される。上記構成によって、物品５を保持する側である本体１４の裏面側がフラットになり、物品５をよりスムーズに保持部６に保持させることが可能になる。また、この際、前述の実施形態で上方開放させた保持部６を下方開放させてもよい。
【００３７】
図４に基づき、本考案の第３実施形態について、前述した実施形態と異なる点を説明する。
固定ホルダ４は、第１実施形態の物品保持具１における固定ホルダ４と略同様に構成され、その着脱部３には、全体がある程度の弾性を有する鉄板その他の磁性体により構成された着脱ホルダ８の着脱部７が磁力吸着された状態で取付けられている。
保持部６は着脱部７とともにクリップ状に構成されており、当該保持部６には例えばパターカバーである物品５を挟着状に保持させている。
この実施形態の物品保持具１は、磁性体による着脱ホルダ８が全体として簡単な構成であり、しかも、保持部６が着脱部７とともに弾性を有してクリップに構成されているから、物品を挟着した状態で確実簡単に保持することができる。
【００３８】
図５に基づき、本考案の第４実施形態について、前述した実施形態と異なる点を説明する。
固定ホルダ４の本体部１１表面には凹部１１ａが穿設されており、該凹部１１ａに永久磁石１２が収容状態で嵌め込み固定されている。上記本体部１１の表裏面は、皮革からなるシートカバー乃至皮膜（以下「シートカバー」とのみ記す。）２１によって被覆されている。このシートカバー２１は周縁部近傍を縫合することによりほぼ袋状に形成されており、図４における符合２１ａがシートカバー２１の縫い目を示している。シートカバー２１の上記袋状に形成した内部に、本体部１１におけるフック部２以外の箇所が収容される。
【００３９】
第４実施形態の物品保持具においては、前記シートカバー２１等にロゴやマーク等（図示しない）を表示するのに便利であるほか、他部材との滑りを防止することができる。
【００４０】
前記シートカバー２１の材質としては、皮革の他に合成皮革，布又は比較的軟質の合成樹脂（例えば特にシリコーンやＰＶＣ）を用いることができる。シートカバー２１の材質を合成樹脂とした場合には、図５の縫い目２１ａは形成されない。
第４実施形態では、本体部１１のみをシートカバー２１で被覆したが、固定ホルダ４の全体を被覆してもよく、また固定ホルダ４の本体部１１以外の部分を被覆してもよい。
【００４１】
図６に基づき、本考案に係る物品保持具の第５実施形態について、前述した実施形態とは異なる点を説明する。
この実施形態において、固定ホルダは前記第１〜第４実施形態の物品保持具１における固定ホルダ４と略同様に構成されている。
着脱ホルダ８の保持部６及び着脱部７は、全体がある程度の弾性を有する鉄板その他の磁性体によって構成されており、保持部６は着脱部７とともにクリップ状に成形されている。それらの内側面の中央部分を除く外面は、シリコーンゴム等からなるシートカバー（乃至皮膜）２１で被覆されている。このシートカバー２１の外側に面する面には、ロゴやマークその他の適当な表示２１ｂがプリントされる。
【００４２】
シートカバー２１は、前述のように適当な表示２１ｂを表示するのに便利であるほか、他部材との滑りを防止することができる。
この実施形態において、着脱ホルダ８の他の構成は第１実施形態における着脱ホルダ８と略同様である。
シートカバー２１の材質は、シリコーンゴム以外の合成樹脂，皮革，合成皮革又は布等から適当なものを選択することができる。
【００４３】
この実施形態では、着脱ホルダ８にシートカバー２１を被覆せず、磁性体よりなる着脱ホルダ８の外面に前記のように所望の表示２１ｂを刻設することができる。
また、着脱ホルダ８の全体を磁性体により構成することに代えて、その着脱部７の主要部を磁性体としても実施することができる。さらに、着脱ホルダ８の着脱部７を磁性体で構成することに代えて、当該着脱部７に永久磁石（図示しない）を保持させ、固定ホルダを前記着脱ホルダ８と同様に構成しても実施することができる。  
【００４４】
図７に基づき、本考案の第６実施形態について、前述した実施形態と異なる点を説明する。
固定ホルダ４は革又は布等からなる可撓性を有する帯状部材を二つ折りすることにより、クリップ状のフック部２を一体に有する本体部１１を形成している。
このフック部２の先端部と当該端部と対応する本体部１１の先端部に永久磁石１２をそれぞれ内装状乃至埋め込み状に設けることにより、両先端部を脱着自在に接合させる接合部２６を構成している他、フック部２の側面部をもって着脱部３を構成し、該着脱部３における先端方向の外面部を当接面１０としている。
そして、固定ホルダ４のフック部２に被装着体９を挟持させた状態（引掛けた状態）で接合部２６同士を吸着させることにより、腰ベルト９を固定ホルダ４により確実に挟着させる。
【００４５】
着脱ホルダ８は、革又は布等からなる弾力性（可撓性）を有する帯状部材を二つ折りすることにより、クリップ状の保持部６を一体に有する本体部１４を形成している。
本体部１４と保持部６の各先端部にそれぞれ永久磁石１７を内装状乃至埋め込み状に設けることにより、両先端部を着脱自在に接合する接合部２７を構成している他、保持部６の側面部をもって着脱部７を構成し、当該着脱部７におけるの外面部を固定ホルダ４の前記当接面１０と当接する当接面２０としている。
【００４６】
そして、保持部６に物品５を引掛けて、接合部２７同士を吸着接合させることにより物品５を保持させ、相対する永久磁石１２，１７により当接面１０，２０相互を吸着させて、物品５をバンドその他の被装着体９へ確実に保持させる。
【図面の簡単な説明】
【００４７】
【図１】本考案に係る物品保持具の第１実施形態の使用態様を示す全体斜視図である。
【図２】本考案に係る物品保持具の第１実施形態の分解側面図である。
【図３】本考案に係る物品保持具の第２実施形態を示す分解側面図である。
【図４】本考案に係る物品保持具の第３実施形態を示す全体斜視図である。
【図５】（Ａ），（Ｂ）は本考案に係る物品保持具の第４実施形態を示す正面図及び側面図である。
【図６】本考案に係る物品保持具の第５実施形態における着脱ホルダの斜視図である。
【図７】本考案に係る物品保持具の第５実施形態の斜視図である。
【符号の説明】
【００４８】
２  フック部
３  着脱部
４  固定ホルダ
５  物品
６  保持部
７  着脱部
８  着脱ホルダ
９  被装着体
１０  当接面
１２  マグネット（永久磁石）
１７  マグネット（永久磁石）
２０  当接面
【図１】
0003146608.tif 000003
【図２】
0003146608.tif 000004
【図３】
0003146608.tif 000005
【図４】
0003146608.tif 000006
【図５】
0003146608.tif 000007
【図６】
0003146608.tif 000008
【図７】
0003146608.tif 000009